(57)【特許請求の範囲】
【請求項１】
基地局を有し、
前記基地局が移動局に割り当てるリソースブロックを決定するスケジューリングを行ない、該移動局から報告される受信品質に基づいて下りリンクの送信パラメータを決定すること、
前記基地局が、
任意の移動局に割り当てるリソースブロックと同一のリソースブロックが、当該移動局が接続する領域と隣接する隣接領域において割り当てられている場合に、前記移動局から報告される第１の受信品質に基づいて送信パラメータを決定し、
任意の移動局に割り当てるリソースブロックと同一のリソースブロックが、前記隣接領域において割り当てられていない場合に、前記隣接領域との間の干渉による品質劣化分を除外した第２の受信品質に基づき送信パラメータを決定すること、
を特徴とする無線通信システム。
【請求項２】
前記移動局は、前記隣接領域との間の干渉による品質劣化分を除外した第２の受信品質を計測する第２の受信品質測定部を備え、前記第２の受信品質を含む２つの受信品質を前記基地局に報告し、
前記基地局は、当該移動局が接続する領域と隣接する隣接領域において、前記移動局に割り当てるリソースブロックと同一のリソースブロックが割り当てられていない場合に、前記第２の受信品質を用いて送信パラメータを決定する請求項１に記載の無線通信システム。
【請求項３】
前記移動局は、前記第２の受信品質に代えて、前記隣接領域との間の干渉による受信品質の品質劣化分を前記基地局に報告し、
前記基地局は、当該移動局が接続する領域と隣接する隣接領域において、前記移動局に割り当てるリソースブロックと同一のリソースブロックが割り当てられていない場合に、前記移動局から報告された受信品質に、前記品質劣化分に応じた補正を加えて送信パラメータを決定する請求項２に記載の無線通信システム。
【請求項４】
前記移動局は、前記隣接領域からのリファレンスシンボルの受信品質を測定する手段を備え、前記隣接領域からのリファレンスシンボルの受信品質を含む２つの受信品質を前記基地局に報告し、
前記基地局は、当該移動局が接続する領域と隣接する隣接領域において、前記移動局に割り当てるリソースブロックと同一のリソースブロックが割り当てられていない場合に、前記隣接領域からのリファレンスシンボルの受信品質を用いて、前記隣接領域との間の干渉による受信品質の品質劣化分を除外した受信品質を求めて送信パラメータを決定する請求項１に記載の無線通信システム。
【請求項５】
前記移動局は、前記隣接領域からのリファレンスシンボルの受信電力と、その他の領域からのリファレンスシンボルの受信電力とを測定する手段を備え、前記２つの受信電力に関する情報を、前記基地局に報告し、
前記基地局は、当該移動局が接続する領域と隣接する隣接領域において、前記移動局に割り当てるリソースブロックと同一のリソースブロックが割り当てられていない場合に、前記第１の受信品質と前記報告された受信電力に関する情報とを用いて計算した前記第２の受信品質を用いて送信パラメータを決定する請求項１に記載の無線通信システム。
【請求項６】
前記移動局は、接続中の領域以外で、最も受信電力の大きい領域を前記隣接領域として選択する請求項１乃至５いずれか一に記載の無線通信システム。
【請求項７】
前記基地局は、他のノードと、前記隣接領域のリソースブロックの割り当て状況を交換する手段を備える請求項１乃至６いずれか一に記載の無線通信システム。
【請求項８】
前記第２の送信パラメータ決定方法は、
前記移動局から報告されるハンドオーバ判定用受信品質情報を用いて、前記移動局から受信した受信品質に補正を加えて前記送信パラメータを決定する請求項１に記載の無線通信システム。
【請求項９】
前記基地局は、前記第２の受信品質に基づき送信パラメータを決定したリソースブロックを隣接領域において他の移動局に割り当てないようスケジューリングを行なう請求項１乃至８いずれか一に記載の無線通信システム。
【請求項１０】
移動局に割り当てるリソースブロックを決定するスケジューリングを行ない、該移動局から報告される受信品質に基づいて下りリンクの送信パラメータを決定する際に、
任意の移動局に割り当てるリソースブロックと同一のリソースブロックが、当該移動局が接続する領域と隣接する隣接領域において割り当てられている場合に、前記移動局から報告される第１の受信品質に基づいて送信パラメータを決定し、
任意の移動局に割り当てるリソースブロックと同一のリソースブロックが、当該移動局が接続する領域と隣接する隣接領域において割り当てられていない場合に、前記隣接領域との間の干渉による品質劣化分を除外した第２の受信品質に基づき送信パラメータを決定すること、
を特徴とする基地局。
【請求項１１】
前記移動局より前記隣接領域との間の干渉による品質劣化分を除外した第２の受信品質を受信し、
前記隣接領域において、前記移動局に割り当てるリソースブロックと同一のリソースブロックが割り当てられていない場合に、前記第２の受信品質を用いて送信パラメータを決定する請求項１０に記載の基地局。
【請求項１２】
前記隣接領域において、前記移動局に割り当てるリソースブロックと同一のリソースブロックが割り当てられていない場合に、前記移動局より報告された受信品質に、前記移動局より報告された前記隣接領域との間の干渉による受信品質の品質劣化分に応じた補正を加えて送信パラメータを決定する請求項１０に記載の基地局。
【請求項１３】
前記隣接領域において、前記移動局に割り当てるリソースブロックと同一のリソースブロックが割り当てられていない場合に、前記移動局より報告された前記隣接領域からのリファレンスシンボルの受信品質を用いて、前記隣接領域との間の干渉による受信品質の品質劣化分を除外した受信品質を求めて送信パラメータを決定する請求項１０に記載の基地局。
【請求項１４】
前記基地局は、前記隣接領域において、前記移動局に割り当てるリソースブロックと同一のリソースブロックが割り当てられていない場合に、前記第１の受信品質と前記報告された受信電力に関する情報とを用いて計算した前記第２の受信品質を用いて、送信パラメータを決定する請求項１０に記載の基地局。
【請求項１５】
前記移動局が接続中の領域以外で、最も受信電力の大きい領域を前記隣接領域とし、前記隣接領域において、前記移動局に割り当てるリソースブロックと同一のリソースブロックが割り当てられていない場合に、該隣接領域との間の干渉による受信品質の品質劣化分を除外した受信品質により送信パラメータを決定する請求項１０乃至１４いずれか一に記載の基地局。
【請求項１６】
更に、他のノードと、前記隣接領域のリソースブロックの割り当て状況を交換する手段を備える請求項１０乃至１５いずれか一に記載の基地局。
【請求項１７】
前記基地局は、
前記移動局から報告されるハンドオーバ判定用受信品質情報を用いて、前記移動局から受信した受信品質の引き上げを行なう請求項１０に記載の基地局。
【請求項１８】
前記移動局から報告された第２の受信品質に基づき送信パラメータを決定したリソースブロックを隣接領域において他の移動局に割り当てないようスケジューリングを行なう請求項１０乃至１７いずれか一に記載の基地局。
【請求項１９】
接続中の領域と隣接する隣接領域との間の干渉による品質劣化分を除外した第２の受信品質を計測する第２の受信品質測定部を備え、前記第２の受信品質を含む２つの受信品質を無線通信システムの基地局に報告し、
前記基地局が移動局に割り当てるリソースブロックを決定するスケジューリングを行ない、該移動局から報告される受信品質に基づいて下りリンクの送信パラメータを決定する際に、前記隣接領域において、前記移動局に割り当てるリソースブロックと同一のリソースブロックが割り当てられていない場合に、前記第２の受信品質を用いて送信パラメータを決定させることを特徴とする移動局。
【請求項２０】
前記第２の受信品質に代えて、前記隣接領域との間の干渉による受信品質の品質劣化分を前記基地局に報告し、
前記基地局に、前記品質劣化分だけ前記移動局から報告された受信品質を引き上げて送信パラメータを決定させる請求項１９に記載の移動局。
【請求項２１】
更に、前記隣接領域からのリファレンスシンボルの受信品質を測定する手段を備え、前記隣接領域からのリファレンスシンボルの受信品質を含む２つの受信品質を前記基地局に報告し、
前記基地局に、前記隣接領域において、前記移動局に割り当てるリソースブロックと同一のリソースブロックが割り当てられていない場合に、前記隣接領域からのリファレンスシンボルの受信品質を用いて、前記隣接領域との間の干渉による受信品質の品質劣化分を除外した受信品質を求めて送信パラメータを決定させる請求項１９に記載の移動局。
【請求項２２】
更に、前記隣接領域からのリファレンスシンボルの受信電力と、その他の領域からのリファレンスシンボルの受信電力とを測定する手段を備え、前記２つの受信電力に関する情報を、前記基地局に報告し、
前記基地局に、前記隣接領域において、前記移動局に割り当てるリソースブロックと同一のリソースブロックが割り当てられていない場合に、前記第１の受信品質と前記報告された受信電力に関する情報とを用いて計算した前記第２の受信品質を用いて、送信パラメータを決定させる請求項１９に記載の移動局。
【請求項２３】
接続中の領域以外で、最も受信電力の大きい領域を前記隣接領域として選択する請求項１９乃至２２いずれか一に記載の移動局。
【請求項２４】
移動局に割り当てるリソースブロックを決定するスケジューリングを行ない、該移動局から報告される受信品質に基づいて下りリンクの送信パラメータを決定する基地局を含む無線通信システムにおける送信パラメータの決定方法であって、
移動局が、前記基地局より送信されたリファレンスシンボルの受信品質を測定して、前記基地局に対して報告するステップと、
前記基地局が、移動局が接続する領域と隣接する隣接領域において、前記移動局に割り当てるリソースブロックと同一のリソースブロックが割り当てられている場合は、前記移動局から報告される第１の受信品質に基づいて送信パラメータを決定するステップと、
前記隣接領域において、前記移動局に割り当てるリソースブロックと同一のリソースブロックが割り当てられていない場合に、前記隣接領域との間の干渉による品質劣化分を除外した第２の受信品質に基づき送信パラメータを決定するステップと、
を含むことを特徴とする送信パラメータの決定方法。
【発明の詳細な説明】
【技術分野】
【０００１】
［関連出願の記載］
本発明は、日本国特許出願：特願２００８−０９１７４８号（２００８年  ３月３１日出願）の優先権主張に基づくものであり、同出願の全記載内容は引用をもって本書に組み込み記載されているものとする。
本発明は、無線通信システム、基地局、移動局及び送信パラメータの決定方法に関し、特に、時間及び周波数スケジューリングを行ない、移動局から報告される受信品質に基づいて下りリンクの送信パラメータを決定する無線通信システム、基地局、移動局及び送信パラメータの決定方法に関する。
【背景技術】
【０００２】
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）等の無線通信システムにおいては、周波数領域の利用効率を高めるために、基地局は、各移動局から報告される下りリンクの受信品質情報に基づいて、時間軸のサンプルとサブキャリアのまとまりを単位としてスケジューリングを行う。時間軸のサンプルとサブキャリアのまとまりをリソースブロックと呼ぶ（非特許文献１、２）。３ＧＰＰにおけるリソースブロックは、非特許文献４の２２頁〜２４頁に定義されている。【０００３】
図１７は、この種の無線通信システムの全体構成を表した図である。基地局２０、２０ａがそれぞれ通信可能な領域６０、６１をセルと呼ぶ。また、基地局２０はセル６０を複数の領域５０ａ、５０ｂ、５０ｃに分割し、基地局２０ａはセル６１を複数の領域５１ａ、５１ｂ、５１ｃに分割し、それぞれの領域に対して通信を行うことが可能である。分割したそれぞれの領域をセクタと呼ぶ（非特許文献３参照）。【０００４】
図１８は、図１７の移動局１０及び基地局２０の詳細構成を表したブロック図である。リソースブロックのスケジューリングに必要な構成要素のブロック図を示す。移動局１０の制御部１０１は、基地局から受信したリソースブロックを受信品質測定部１０２に出力し、受信品質測定部１０２から出力された受信品質情報を基地局に送信する動作を行なう。【０００５】
移動局１０の受信品質測定部１０２は、リソースブロックの受信品質を測定する。リソースブロックの受信品質は、例えばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）で求められる（非特許文献４）。リソースブロックのＳＩＮＲは、下りリンクにおけるリファレンスシンボル部（リソースブロックのリファレンス信号が格納されている部分）の受信電力から、下記［数１］により求めることができる。【０００６】
【数１】
0005418495.tif 000002
【０００７】
ここで、Ｍは移動局が現在接続しているセクタ以外のシステム全体のセクタの数を表し、Ｂｍはセクタを表し、ｍ＝０のセクタＢ０は移動局が現在接続しているセクタ（Ｓｅｒｖｉｎｇ  Ｃｅｌｌ）、ｍ＞０のセクタは、同じ基地局の隣接セクタや周辺の基地局のセクタを表す。移動局１０はこれらのセクタＢ０〜ＢＭのリソースブロックのリファレンスシンボル部の受信電力を測定することが可能である（非特許文献４参照）。また、Ｆｎはｎ番目のリソースブロックを表す。さらに、ＳＩＮＲＲＢ（Ｂ０，Ｆｎ）はリソースブロックＦｎにおける、セクタＢ０から送信された信号の受信ＳＩＮＲ、Ｓ（Ｂｍ，Ｆｎ）はリソースブロックＦｎにおける、セクタＢｍから送信された信号の受信電力を表す。また、Ｗは熱雑音電力である。【０００８】
移動局１０は、上記計算によりリソースブロック毎に測定した受信品質を定期的に基地局２０へ報告する（非特許文献５  １１．５  ＣＱＩ  Ｒｅｐｏｒｔｉｎｇ  ｆｏｒ  Ｓｃｈｅｄｕｌｉｎｇ）。【０００９】
基地局の制御部２０１は、移動局１０に対して下りリンクのデータやリファレンスシンボルを送信し、移動局１０から報告された受信品質情報を、リソース割当部２０２とＭＣＳ判定部２０３に通知する。基地局の制御部２０１は、下りリンクのデータを送信する際には、受信品質情報に基づきＭＣＳ判定部２０３で決定されたＭＣＳ（Ｍｏｄｕｌａｔｉｏｎ  ａｎｄ  Ｃｈａｎｎｅｌ  Ｃｏｄｉｎｇ  Ｓｃｈｅｍｅ）に応じて、誤り訂正符号化とデータ変調を行う。【００１０】
図１９は、基地局２０のリソース割当部２０２の構成を示す図である。リソース割当部２０２内の割当決定部２０２１は、移動局１０からのリソースブロック毎の受信品質報告を用いて、移動局毎にリソースブロックの割り当て（スケジューリング）を行う。【００１１】
図２０は、基地局２０のＭＣＳ判定部２０３の構成を示す図である。ＭＣＳ判定部２０３内のＭＣＳ決定部２０３１は、リソース割当部２０２でのリソースブロックの割り当てと、受信品質情報をもとに、移動局毎に、割り当てられたリソースブロックの受信品質に対して、例えば、発生する誤り率が目標値以下となる最大送信レートのＭＣＳを選択する。【００１２】
特許文献１〜３には、リソースブロックの割当てやＭＣＳの再設定によって、上記のようなＯＦＤＭ移動通信システムにおけるセル間の干渉を低減することが提案されている。【００１３】
【特許文献１】特開２００５−３２８５１９号公報
【特許文献２】特開２００６−３３８２６号公報
【特許文献３】特表２００６−５２２５０３号公報
【非特許文献１】大藤、他３名、「電子情報通信学会技術研究報告［無線通信システム］」、２００６年、第１０４巻、第５９８号、ｐ．１０１−１０６
【非特許文献２】藤田、他１名、「電子情報通信学会技術研究報告［無線通信システム］」、２００６年、第１０６巻、第１６８号、ｐ．１２１−１２５
【非特許文献３】３ＧＰＰ  ＴＲ  ２１．９０５  Ｖ８．１．０、２００７年  ６月、ｐ．８「Ｃｅｌｌ」の項、ｐ２３「Ｓｅｃｔｏｒ」の項
【非特許文献４】３ＧＰＰ  ＴＲ  ３６．２１１  Ｖ８．０．０、２００７年  ９月、ｐ．２１−２４、ｐ．３６−４１
【非特許文献５】３ＧＰＰ  ＴＲ  ３６．３００  Ｖ８．２．０、２００７年  ９月、ｐ．５２
【発明の開示】
【発明が解決しようとする課題】
【００１４】
以上の特許文献１〜３及び非特許文献１〜５の全開示内容は、本書に引用をもって繰り込み記載されているものとする。
以下の分析は、本発明の観点から与えられる。
しかしながら、上記した技術では、実際には高効率に伝送できるにもかかわらず、伝送効率が劣化するスケジューリングが行われる場合がある。その理由を以下に説明する。【００１５】
移動局から報告される受信品質は、リファレンスシンボル部に基づいて計測されるのに対して、ユーザデータ部分を移動局が受信するときの受信品質はセル毎のスケジューリング結果に依存し、データの有無によって変動する。あるセルでデータ送信に用いたリソースブロックと同じリソースブロックを、隣接セルではデータ送信に使用しない場合、隣接セルからの干渉が低減するため、データ受信時の受信品質は報告された受信品質よりも向上する。このとき、基地局は移動局から報告されるリソースブロック毎の受信品質に基づいてＭＣＳを決定しているため、本来送信可能な送信レートよりも低いレートのＭＣＳが選択されることになって、伝送効率が劣化する。【００１６】
特に、同一基地局内のセクタ境界などの受信品質が劣化している領域は伝播損がほぼ等しいため、隣接セクタからの送信が行われない場合の受信品質の改善量は非常に大きい。このような場合、最低レートのＭＣＳしか選択されなくなって伝送効率が著しく劣化し、移動局のスループットのみならずシステム全体のスループットも劣化する。【００１７】
また、特許文献１〜３の技術も、リソースブロックの割当てやＭＣＳの再設定により、隣接セルからの干渉を低減するというものであり、上記基地局に報告した受信品質と、データ受信時に期待できる受信品質との不一致についての対策は打たれていない。【００１８】
本発明は、上記した事情に鑑みてなされたものであって、移動局から報告される受信品質と実際のデータ受信時の受信品質に差が生じる場合があることに着目し、データを受信するときの受信品質を見越して送信パラメータを決定する無線通信システム、基地局、移動局及び送信パラメータの決定方法を提供することを目的とする。
【課題を解決するための手段】
【００１９】
本発明の第１の視点によれば、基地局を有し、前記基地局が移動局に割り当てるリソースブロックを決定するスケジューリングを行ない、該移動局から報告される受信品質に基づいて下りリンクの送信パラメータを決定すること、前記基地局が、任意の移動局に割り当てるリソースブロックと同一のリソースブロックが、当該移動局が接続する領域と隣接する隣接領域において割り当てられている場合に、前記移動局から報告される第１の受信品質に基づいて送信パラメータを決定し、任意の移動局に割り当てるリソースブロックと同一のリソースブロックが、前記隣接領域において割り当てられていない場合に、前記隣接領域との間の干渉による品質劣化分を除外した第２の受信品質に基づき送信パラメータを決定する無線通信システムが提供される。
【００２０】
本発明の第２の視点によれば、移動局に割り当てるリソースブロックを決定するスケジューリングを行ない、該移動局から報告される受信品質に基づいて下りリンクの送信パラメータを決定する際に、任意の移動局に割り当てるリソースブロックと同一のリソースブロックが、当該移動局が接続する領域と隣接する隣接領域において割り当てられている場合に、前記移動局から報告される第１の受信品質に基づいて送信パラメータを決定し、任意の移動局に割り当てるリソースブロックと同一のリソースブロックが、当該移動局が接続する領域と隣接する隣接領域において割り当てられていない場合に、前記隣接領域との間の干渉による品質劣化分を除外した第２の受信品質に基づき送信パラメータを決定する基地局が提供される。
【００２１】
本発明の第３の視点によれば、割り当てられたリソースブロックと同一のリソースブロックが割り当てられていない場合に、前記基地局に、隣接領域との間の干渉による品質劣化分を除外した受信品質を用いて送信パラメータを決定させる移動局が提供される。【００２２】
本発明の第４の視点によれば、移動局に割り当てるリソースブロックを決定するスケジューリングを行ない、該移動局から報告される受信品質に基づいて下りリンクの送信パラメータを決定する基地局を含む無線通信システムにおける前記送信パラメータの決定方法であって、移動局が、前記基地局より送信されたリファレンスシンボルの受信品質を測定して、前記基地局に対して報告するステップと、前記基地局が、移動局が接続する領域と隣接する隣接領域において、前記移動局に割り当てるリソースブロックと同一のリソースブロックが割り当てられている場合は、前記移動局から報告される第１の受信品質に基づいて送信パラメータを決定するステップと、前記隣接領域において、前記移動局に割り当てるリソースブロックと同一のリソースブロックが割り当てられていない場合に、前記隣接領域との間の干渉による品質劣化分を除外した第２の受信品質に基づき送信パラメータを決定するステップと、を含む送信パラメータの決定方法が提供される。
【発明の効果】
【００２３】
本発明によれば、データ送信の際に隣接領域との干渉が発生しない場合に、より効率の良い送信パラメータを決定することが可能になる。その理由は、基地局が、隣接領域のリソースブロックの割り当て状況を把握し、隣接領域との干渉が生じない場合に、隣接領域からの干渉を除外した受信品質を用いて送信パラメータを決定するよう構成したことにある。
【図面の簡単な説明】
【００２４】
【図１】本発明の第１の実施形態の無線通信システムの構成を示したブロック図である。
【図２】本発明の第１の実施形態の基地局のＭＣＳ判定部の詳細構成を示したブロック図である。
【図３】本発明の第１の実施形態の移動局において実施される受信品質報告動作の流れを表したフローチャートである。
【図４】本発明の第１の実施形態の基地局において実施されるＭＣＳ決定動作の流れを表したフローチャートである。
【図５】本発明の第２の実施形態の無線通信システムの構成を示したブロック図である。
【図６】本発明の第２の実施形態の基地局のリソース割当部の詳細構成を示したブロック図である。
【図７】本発明の第２の実施形態の基地局のＭＣＳ判定部の詳細構成を示したブロック図である。
【図８】本発明の第２の実施形態の基地局において実施されるリソース割当動作の流れを表したフローチャートである。
【図９】本発明の第２の実施形態の基地局において実施されるＭＣＳ決定動作の流れを表したフローチャートである。
【図１０】本発明の第３の実施形態の無線通信システムの構成を示したブロック図である。
【図１１】本発明の第３の実施形態の基地局の受信品質推定部の詳細構成を示したブロック図である。
【図１２】本発明の第３の実施形態の基地局の動作の流れを表したフローチャートである。
【図１３】本発明の第４の実施形態の無線通信システムの構成を示したブロック図である。
【図１４】本発明の第４の実施形態の基地局の動作の流れを表したフローチャートである。
【図１５】本発明の第５の実施形態の無線通信システムの構成を示したブロック図である。
【図１６】本発明の第６の実施形態の無線通信システムの構成を示したブロック図である。
【図１７】無線通信システムの全体構成を説明するための図である。
【図１８】図１７の移動局及び基地局の詳細構成を表したブロック図である。
【図１９】図１８の基地局のリソース割当部の構成を示す図である。
【図２０】図１８の基地局のＭＣＳ判定部の構成を示す図である。
【符号の説明】
【００２５】
１０、１１、１２、１３、１４、１５  移動局
２０、２１、２２、２３、２４、２５  基地局
５０ａ、５０ｂ、５０ｃ、５１ａ、５１ｂ、５１ｃ  セクタ
６０、６１  セル
１０１    移動局動作部
１０２    受信品質測定部
１１３    第２受信品質測定部
１２４    ハンドオーバ判定用受信品質測定部
１４５    隣接領域受信品質測定部
１５６    受信電力測定部
２０１    基地局動作部
２０２    リソース割当部
２０３、２１３、２２３  ＭＣＳ判定部
２１４    割当情報管理部
２２２    リソース割当部
２３５    受信品質推定部
２５６    受信品質計算部
２０２１  割当決定部
２０３１  ＭＣＳ決定部
２１３１  ＭＣＳ決定部
２２２１  移動局位置判定部
２２２２  リソース割当決定部
２２３１  移動局位置判定部
２２３２  ＭＣＳ決定部
２３５１  受信品質決定部
【発明を実施するための最良の形態】
【００２６】
続いて、本発明の好適な実施形態について図面を参照して詳細に説明する。【００２７】
［発明の概要］
始めに、本発明の概要について図１を参照して説明する。移動局（図１の移動局１１）は、図１８に示した構成に加えて、隣接セル干渉を除外したリソースブロックの受信品質を測定する手段（図１の第２受信品質測定部１１３）を備える。移動局（図１の移動局１１）の制御部（図１の制御部１０１）は、隣接セル干渉を除外しないリソースブロックの受信品質（第１の受信品質）と、隣接セル干渉を除外したリソースブロックの受信品質（第２の受信品質）とを基地局（図１の基地局２１）に報告する。【００２８】
基地局（図１の基地局２１）は、図１８に示した構成に加えて、該基地局のセル内の全セクタのリソースブロックの割当状況を管理する手段（図１の割当情報管理部２１４）を備える。基地局（図１の基地局２１）のＭＣＳ判定部（図１のＭＣＳ判定部２１３）は、全セクタのリソースブロックの割当状況を参照し、送信パラメータ（ＭＣＳ）の決定対象の移動局が接続する領域と隣接する隣接領域において、当該移動局に割り当てるリソースブロックと同一のリソースブロックが割り当てられていない場合に、隣接セル干渉を除外したリソースブロックの受信品質（第２の受信品質）に基づいて送信パラメータ（ＭＣＳ）を決定する。なお、前記隣接セルで同一リソースブロックが使われている場合は移動局が報告する受信品質（第１の受信品質）に基づいた送信パラメータ（ＭＣＳ）の決定が行なわれる。【００２９】
以上により、データ送信時に、隣接領域（隣接セル）干渉が発生しない場合に、移動局が報告する受信品質（第１の受信品質）から求めた送信パラメータ（ＭＣＳ）と同等か、それ以上の伝送効率持つ送信パラメータ（ＭＣＳ）への引き上げが行なわれ、移動局のスループットのみならずシステム全体のスループットを向上させることができる。【００３０】
また、上記した例では、移動局側で、隣接セル干渉を除外したリソースブロックの受信品質を測定・報告するものとして説明したが、移動局より報告された隣接セル干渉量に基づいて、基地局が隣接セル干渉を除外したリソースブロックの受信品質を計算したり、あるいは、基地局がハンドオーバ判定用情報等の他の情報を用いて隣接セル干渉を除外したリソースブロックの受信品質を計算することも可能である。これらの変形実施形態については、以下の本発明の各実施形態において詳細に説明する。【００３１】
［第１の実施形態］
続いて、本発明の第１の実施形態について図面を参照して詳細に説明する。図１は、本発明の第１の実施形態の無線通信システムの構成を示したブロック図である。図１に示すように本発明の第１の実施形態の移動局１１は、制御部１０１と、受信品質測定部１０２と、第２受信品質測定部１１３とを含んで構成される。【００３２】
移動局１１の制御部１０１は、基地局から受信したリソースブロックを受信品質測定部１０２及び第２受信品質測定部１１３に出力し、受信品質測定部１０２及び第２受信品質測定部１１３から出力された受信品質情報を基地局に送信する動作を行なう。【００３３】
受信品質測定部１０２は、隣接セクタ干渉を考慮しないリソースブロックの受信品質（第１の受信品質）を測定する手段である。例えば、冒頭に述べた［数１］により求められるＳＩＮＲＲＢ（Ｂ０，Ｆｎ）を用いることができる。【００３４】
一方、第２受信品質測定部１１３は、隣接セクタ干渉を除外したリソースブロックの受信品質（第２の受信品質）を測定する手段である。隣接セクタ干渉を除外したリソースブロックの受信品質は、リファレンスシンボル部の受信電力から、例えば、下記［数２］により求めることができる。【００３５】
【数２】
0005418495.tif 000003
【００３６】
上記［数２］は、はリソースブロックＦｎにおける、セクタＢ０から送信された信号の隣接セクタ干渉を除外したときの受信ＳＩＮＲを表す。また、移動局が通信していないセクタのうち、リファレンスシンボル部から求まるリソースブロックの受信電力が最大となる同じ基地局のセクタを隣接セクタとし、Ｂ１と表す。ここで、移動局１１は、［数１］の算出時と同様に、セクタＢ０と隣接セクタＢ１の受信電力を測定することができる（非特許文献４参照）。上記［数２］の右辺の分母は、接続中のセクタＢ０及び隣接セクタＢ１以外のセクタＢ２〜ＢＭからのリファレンスシンボル部の受信電力の総和と、熱雑音電力Ｗの和であり、上記［数２］の右辺の分子はセクタＢ０からのリファレンスシンボル部の受信電力である。上記［数１］との違いは、右辺分母において、隣接セクタＢ１からのリファレンスシンボル部の受信電力が除外されている点である。なお、上記非特許文献４の記載事項は、引用をもって本書に組み込み記載されているものとする。【００３７】
移動局１１は、受信品質測定部１０２及び第２受信品質測定部１１３で測定した隣接セクタ干渉を考慮しないリソースブロックの受信品質（第１の受信品質）と、隣接セクタ干渉を除外したリソースブロックの受信品質（第２の受信品質）とを、基地局２１に報告する。【００３８】
基地局２１は、制御部２０１と、リソース割当部２０２と、ＭＣＳ判定部２１３、割当情報管理部２１４とを含んで構成され、移動局１１が報告する２種類の受信品質情報と、基地局セル内の全セクタにおけるリソースブロックの割当情報から、ＭＣＳを決定する。【００３９】
制御部２０１は、移動局１１より、第１の受信品質情報と、隣接セクタ干渉を除外した第２の受信品質情報の両方を受信し、リソース割当部２０２及びＭＣＳ判定部２１３に入力する。また、制御部２０１は、下りリンクのデータやリファレンスシンボルの送信を行なう。制御部２０１は、下りリンクのデータを送信する際には、ＭＣＳ判定部２１３で決定されたＭＣＳに応じて、誤り訂正符号化とデータ変調を行う。【００４０】
リソース割当部２０２は、基地局セル内のセクタ別にリソース割当を行う。割当情報管理部２１４は、リソース割当後の基地局セル内のセクタ毎のリソース割当情報を収集する。【００４１】
ＭＣＳ判定部２１３は、割当情報管理部２１４が保持している基地局セル内の全セクタのリソース割当情報を参照し、隣接セクタでリソースブロックが使用されているか判断してＭＣＳを決定する。【００４２】
図２は、上記基地局２１のＭＣＳ判定部２１３の詳細構成を示したブロック図である。図２を参照すると、ＭＣＳ判定部２１３のＭＣＳ決定部２０３１は、上記移動局から報告された２つの受信品質情報と、移動局が接続しているセクタにおけるリソースの割当情報と、該セクタに隣接する隣接セクタのリソースの割当情報と、を入力として、ＭＣＳ番号を出力する。【００４３】
続いて、上記移動局１１及び基地局２１の動作について図面を参照して詳細に説明する。図３は、移動局１１において定期的に実施される受信品質報告動作の流れを表したフローチャートである。【００４４】
図３を参照すると、まず、移動局１１は、受信品質測定部１０２により、基地局２１がスケジューリングを行うために必要な情報である、リソースブロック毎の受信品質を測定する（ステップＳ１１１）。【００４５】
次に、移動局１１は、第２受信品質測定部１１３により、隣接セクタ干渉を除外した受信品質を求める（ステップＳ１１２）。【００４６】
移動局１１は、受信品質測定部１０２及び第２受信品質測定部１１３で求めたそれぞれの受信品質を基地局２１へ報告する（ステップＳ１１３）。【００４７】
次に、基地局２１のＭＣＳ判定部２１３の動作について詳細に説明する。図４は、基地局２１におけるＭＣＳ決定動作の流れを表したフローチャートである。【００４８】
まず、ＭＣＳ判定部２１３は、基地局セル内の全セクタのリソース割当情報から隣接セクタでリソースブロックが使用されているか否かを判断する（ステップＳ２１１）。【００４９】
ここで、隣接セクタで他の移動局に割り当てられていると判断されたリソースブロックでは、ＭＣＳ判定部２１３は、移動局１１の受信品質測定部１０２が求めた第１の受信品質を選択する（ステップＳ２１２）。【００５０】
一方、隣接セクタで割り当てられていないと判断されたリソースブロックでは、ＭＣＳ判定部２１３は、第２受信品質測定部１１３が求めた第２の受信品質を選択する（ステップＳ２１３）。【００５１】
以上の選択結果から、ＭＣＳ判定部２１３は、リソースブロックに対するＭＣＳを決定する（ステップＳ２１４）。【００５２】
以上、本発明によれば、移動局１１から報告されるリソースブロックの受信品質（第１の受信品質）と、実際のデータ受信時のリソースブロックの受信品質（第２の受信品質）に差が生じるような場合でも、基地局２１において、データを受信するときの品質に合わせたＭＣＳの選択が可能になる。【００５３】
なお、上記した実施形態では、移動局１１は第２受信品質測定部１１３で求めた受信品質（第２の受信品質）を基地局２１へ報告するものとして説明したが、移動局１１は、第２の受信品質に代えて、受信品質測定部１０２及び第２受信品質測定部１１３で求めた受信品質の差分値を基地局２１へ報告してもよい。この場合、基地局２１のＭＣＳ判定部２１３は、隣接セクタで割り当てられていないと判断されたリソースブロックに対し、移動局１１の受信品質測定部１０２より報告された受信品質（第１の受信品質）に、前記差分値を加えたものを受信品質とする。この場合においても、上記した実施形態と同様に、データを受信するときの品質に合わせたＭＣＳを選択することができる。【００５４】
更に、リソースブロック毎に前記差分値を基地局２１へ報告する代わりに、移動局１１が、全リソースブロックで共通に用いる値として、リソースブロック毎の前記差分値の中で最も高い値、最も低い値、或いはリソースブロック毎の前記差分値の平均値だけを報告してもよい。この場合においても、基地局２１が、移動局１１の受信品質測定部１０２より報告された受信品質（第１の受信品質）に、上記移動局１１から報告された値を加えることで、上記した実施形態と同様に、リソースの割当て状況に応じて、移動局１１より報告された受信品質（第１の受信品質）を引き上げることが可能となる。【００５５】
［第２の実施形態］
続いて、本発明の第２の実施形態について図面を参照して詳細に説明する。図５は、本発明の第２の実施形態の無線通信システムの構成を示したブロック図である。図５に示すように本発明の第２の実施形態の移動局１２は、制御部１０１と、受信品質測定部１０２と、第２受信品質測定部１１３と、ハンドオーバ判定用受信品質測定部１２４とを含んで構成される。【００５６】
本実施形態と第１の実施形態との相違点は、移動局１２に、ハンドオーバの要否を判定するための受信品質を測定するハンドオーバ判定用受信品質測定部１２４が備えられている点である。但し、ハンドオーバ判定用受信品質測定部１２４は、ハンドオーバの判定に用いる受信品質の測定ために、一般な移動局構成機器に備えられているものであり、第１の実施形態の移動局１１と実質的な相違はない。【００５７】
本発明の第２の実施形態の基地局２２は、制御部２０１と、リソース割当部２２２と、ＭＣＳ判定部２２３と、割当情報管理部２１４とを含んで構成され、移動局１２が報告する２種類の受信品質情報、ハンドオーバ判定用受信品質情報及び基地局セル内の全セクタにおけるリソースブロックの割当情報から、リソースブロックの割当てと、ＭＣＳの決定を行なう。【００５８】
制御部２０１及び割当情報管理部２１４は、上記した第１の実施形態の基地局２１と同様であるので説明を省略する。【００５９】
図６は、本実施形態の基地局２２のリソース割当部２２２の詳細構成を表した図である。図６参照すると、本実施形態のリソース割当部２２２は、移動局位置判定部２２２１と、割当決定部２２２２とを含んで構成される。【００６０】
移動局位置判定部２２２１は、移動局１２から受信したハンドオーバ判定用受信品質情報に基づいて移動局１２のセクタ内の位置を判定し、割当決定部２２２２に出力する。【００６１】
割当決定部２２２２は、上記移動局から報告された第１、第２の受信品質情報と、移動局が接続しているセクタに隣接する隣接セクタのリソースの割当情報と、移動局１２のセクタ内の位置情報と、を入力として、移動局毎にリソースブロックの割り当て（スケジューリング）を行う。【００６２】
図７は、本実施形態の基地局２２のＭＣＳ判定部２２３の詳細構成を表した図である。図７を参照すると、本実施形態のＭＣＳ判定部２２３は、移動局位置判定部２２３１と、ＭＣＳ決定部２２３２とを含んで構成される。【００６３】
移動局位置判定部２２３１は、移動局１２から受信したハンドオーバ判定用受信品質情報に基づいて移動局１２のセクタ内の位置を判定し、ＭＣＳ決定部２２３２に出力する。【００６４】
ＭＣＳ決定部２２３２は、上記移動局から報告された２つの受信品質情報と、移動局が接続しているセクタにおけるリソースの割当情報と、該セクタに隣接する隣接セクタのリソースの割当情報と、移動局１２のセクタ内の位置情報と、を入力として、ＭＣＳ番号を出力する。【００６５】
続いて、本実施形態の動作について図面を参照して詳細に説明する。移動局１２の動作は、ハンドオーバ判定用受信品質情報の報告が加わるほか、上記した第１の実施形態と同様であるので、以下、基地局の動作を説明する。【００６６】
図８は、基地局２２におけるリソース割当動作の流れを表したフローチャートである。図８を参照すると、まず、リソース割当部２２２の移動局位置判定部２２２１は、基地局セル内の割当機会が与えられる移動局の候補から一つを選択し、移動局１２のハンドオーバ判定用受信品質情報から移動局１２がセクタの境界付近にいるか否かを判断する（ステップＳ２２１）。【００６７】
例えば、移動局位置判定部２２２１は、ハンドオーバ判定用受信品質の値が予め定めた閾値以下である場合、当該移動局１２は、セクタの境界付近にいると判定する。【００６８】
次に、割当決定部２２２２は、割当情報管理部２１４を参照して、前記移動局１２に割り当てるリソースブロックの候補を選択する。前記移動局１２に割り当てるリソースブロックの候補は、前記移動局１２が接続しているセクタにおいて、まだ割り当てられていないリソースブロックから選択する。【００６９】
ここで、前記移動局１２がセクタの境界付近にいると判断された場合は、割当決定部２２２２は、隣接セクタで割り当てられているリソースブロックを前記移動局１２に割り当てるリソースブロックの候補から外す（ステップＳ２２２）。【００７０】
更に、割当決定部２２２２は、残されたリソースブロックの割当候補の中から前記移動局１２へ割り当てるリソースブロックを決定する（ステップＳ２２３）。【００７１】
ステップＳ２２３におけるリソースブロックの割り当て方法は、従来から行われている方法を適用することができる。【００７２】
前記移動局１２へリソースブロックを割り当てた後、割当決定部２２２２は、隣接セクタに位置する移動局のリソース割当ての際に、当該移動局１２に割り当てたリソースブロックと同一のリソースブロックが割り当てられないよう割当情報管理部２１４の情報を更新する（ステップＳ２２４）。【００７３】
また、ステップＳ２２１においてセクタの境界付近にいないと判断された場合は、ステップＳ２２２のリソースブロックの除外と、割当情報管理部２１４の更新は行わずに、リソースブロックの割当候補の中から移動局１２へ割り当てるリソースブロックの決定が行なわれる（ステップＳ２２３）。【００７４】
割当決定部２２２２は、基地局セル内の割当機会を受ける候補となる移動局すべてに対し以上の動作を行うか、基地局セル内の全セクタのリソースがすべて割り当てられるまで以上の動作を繰り返す。【００７５】
以上により、セクタの境界付近にいると判断された移動局に割り当てられたリソースブロックは、隣接セクタでは割り当てられていないものとなり、前記リソースブロックのデータを移動局が受信するときの受信品質は、隣接セクタ干渉を受けないものとなる。【００７６】
上記リソース割当部２２２によるリソースの割当後、ＭＣＳ判定部２２３によりＭＣＳの決定が開始される。図９は、基地局２２におけるＭＣＳ決定動作の流れを表したフローチャートである。図９を参照すると、まず、ＭＣＳ判定部２２３の移動局位置判定部２２３１は、基地局セル内の割当機会が与えられる移動局の候補から一つを選択し、移動局１２のハンドオーバ判定用受信品質情報から移動局１２がセクタの境界付近にいるか否かを判断する（ステップＳ２２１）。また、移動局位置判定部２２３１を用いずに、リソース割当部２２２の移動局位置判定部２２２１の判定結果を用いることも可能である。【００７７】
ステップＳ２２１でセクタの境界付近にいると判断された移動局には、リソース割当部２２２により、隣接セクタでは割り当てられていないリソースブロックが割り当てられているため、ＭＣＳ決定部２２３２は、隣接セクタ干渉を除外した受信品質（第２の受信品質）を選択する（ステップＳ２２５）。【００７８】
その他の移動局については、ＭＣＳ決定部２２３２は、基地局セル内の全セクタのリソース割当情報から隣接セクタでリソースブロックが使用されているか否かを判断する（ステップＳ２２６）。【００７９】
前記判断の結果、ＭＣＳ決定部２２３２は、隣接セクタで割り当てられていると判断されたリソースブロックについては、移動局１２の受信品質測定部１０２が求めた受信品質（第１の受信品質）を選択する（ステップＳ２２７）。【００８０】
一方、ＭＣＳ決定部２２３２は、隣接セクタで割り当てられていないと判断されたリソースブロックについては、移動局１２の第２の受信品質測定部１１３が求めた隣接セクタ干渉を除外した受信品質（第２の受信品質）を選択する（ステップＳ２２８）。【００８１】
以上の選択結果から、ＭＣＳ判定部２１３は、リソースブロックに対するＭＣＳを決定する（ステップＳ２２９）。【００８２】
以上、本発明によれば、移動局１２から報告されるリソースブロックの受信品質と、実際のデータ受信時のリソースブロックの受信品質に差が生じるような場合でも、基地局２２において、データを受信するときの品質に合わせたＭＣＳの選択が可能になる。特に、本実施形態では、セクタの境界付近にいると判断された場合に、セクタ間干渉が発生しないようスケジューリングが行なわれるためセクタの境界付近にいるユーザへのサービス品質を安定させることが可能となる。【００８３】
［第３の実施形態］
続いて、本発明の第３の実施形態について図面を参照して詳細に説明する。図１０は、本発明の第３の実施形態の無線通信システムの構成を示したブロック図である。本実施形態と第１の実施形態との相違点は、移動局１３側に第２の受信品質測定部を不要とし、基地局２３側に受信品質推定部２３５を備えた点である。【００８４】
図１０に示すように本発明の第３の実施形態の移動局１３は、制御部１０１と、受信品質測定部１０２と、ハンドオーバ判定用受信品質測定部１２４とを含んで構成される。【００８５】
また、基地局２３は、制御部２０１と、リソース割当部２０２と、ＭＣＳ判定部２１３と、割当情報管理部２１４と、受信品質推定部２３５とを含んで構成される。【００８６】
受信品質推定部２３５は、制御部２０１とＭＣＳ判定部２１３とに接続され、移動局から報告された受信品質情報と、ハンドオーバ判定用受信品質情報とから、隣接セクタ干渉を除外した受信品質を計算する。【００８７】
図１１は、受信品質推定部２３５の詳細構成を示す図である。受信品質推定部２３５は、移動局から報告された受信品質情報と、ハンドオーバ判定用受信品質情報とを入力とし、隣接セクタ干渉を取り除いた受信品質情報を出力する受信品質決定部２３５１を含んで構成される。【００８８】
以下、受信品質決定部２３５１による隣接セクタ干渉を除外した受信品質の計算方法を説明する。【００８９】
基地局が求めたい、隣接セクタ干渉を除外した受信品質は前掲の［数２］である。【００９０】
ここで、基地局２３の受信品質決定部２３５１は、ハンドオーバ判定用受信品質情報から、移動局が通信していないセクタのうち、リファレンスシンボル部から求めるリソースブロックの受信電力が最大となるセクタを隣接セクタＢ１を判定する。【００９１】
移動局１３から基地局２３に報告される受信品質（第１の受信品質）と、受信品質決定部２３５１が求めるべき隣接セクタ干渉を除外した受信品質の関係は、次の［数３］のようになる。【００９２】
【数３】
0005418495.tif 000004
【００９３】
上記［数３］を変形すると、下記［数４］のように表すことができる。【００９４】
【数４】
0005418495.tif 000005
【００９５】
［数４］の右辺のＳＩＮＲＲＢ（Ｂ０，Ｆｎ）は既知である。従って、［数４］の右辺の分子と分母、移動局１３が受ける他セクタからの干渉電力（ｍ＝１からＭまでの総和）と隣接セクタ干渉を除いた他セクタからの干渉電力（ｍ＝２からＭまでの総和）を求めることで、移動局１３から報告された受信品質から隣接セクタ干渉を除いた受信品質を求めることができる。ここで、熱雑音電力の項は受信電力の項に比べて充分小さいと仮定し、無視して考えることが可能である。また、移動局１３が受ける他セクタからの干渉電力と、隣接セクタ干渉を除いた他セクタからの干渉電力との比率がリソースブロックに関わらずほぼ一定であると仮定すれば、システム全帯域における前記干渉電力比率とリソースブロック毎の前記干渉電力比率は等しくなる。【００９６】
したがって、基地局２３の受信品質決定部２３５１はハンドオーバ判定用受信品質情報から、移動局１３が受ける他セクタからの干渉電力と、隣接セクタ干渉を除いた他セクタからの干渉電力を求めることで、上記の［数４］から求めたい隣接セクタ干渉を除外した受信品質を近似的に得ることができる。【００９７】
基地局２３はリソースブロック毎の受信品質ＳＩＮＲＲＢ（Ｂ０，Ｆｎ）の他に、ハンドオーバ判定用受信品質情報により、移動局からシステム全帯域について、移動局１３が受信するセル毎のシステム帯域におけるリファレンスシンボル部の信号の平均受信品質（ＳＩＮＲ）を得ることができる。【００９８】
移動局１３が報告するハンドオーバ判定用受信品質情報は次の［数５］で表される。【００９９】
【数５】
0005418495.tif 000006
【０１００】
ここで、ＳＩＮＲＢＡＮＤ（Ｂ０）はシステム全帯域における、セクタＢ０から送信された電力の受信ＳＩＮＲ、ＳＡ（Ｂｍ，Ｆｎ）は、リソースブロックＦｎにおける、セクタＢｍから送信された電力の平均受信値を表す。【０１０１】
移動局３１が同一セル内のセクタ境界上にいて、かつ、基地局２３との距離が近いならば、移動局１３が接続しているセクタと隣接セクタからの受信電力は、他の隣接基地局セルからの受信電力よりも充分大きくなるとして、受信電力の計算において移動局が居るセクタＢ０と隣接セクタＢ１からの受信電力以外の電力を無視することができる。【０１０２】
このとき、システム全帯域に対する受信品質の近似値は次の［数６］で表される。【０１０３】
【数６】
0005418495.tif 000007
【０１０４】
［数６］において、システム全帯域における、隣接セルＢｍから送信された電力のＳＩＮＲの式を変形すると、次の［数７］が得られる。【０１０５】
【数７】
0005418495.tif 000008
【０１０６】
［数７］を用いると、隣接セルＢｍ（ｍ＞１）からの受信品質については、次の［数８］で表すことができる。【０１０７】
【数８】
0005418495.tif 000009
【０１０８】
［数８］を整理すれば、次の［数９］のように書き表すことができる。【０１０９】
【数９】
0005418495.tif 000010
【０１１０】
ここで、先に述べたように、リソースブロック間で移動局１３が受ける他セクタからの干渉電力と、隣接セクタ干渉を除いた他セクタからの干渉電力の比率がほぼ均一であると仮定すれば、システム全帯域における前記干渉電力比率とリソースブロック毎の前記干渉電力の比は等しくなるため、次の式［数１０］が成立する。【０１１１】
【数１０】
0005418495.tif 000011
【０１１２】
上記［数１０］のシステム全帯域に対して当該移動局が受ける他セクタからの干渉電力と、隣接セクタ干渉を除いた他セクタからの干渉電力の比率は、これまでの式を用いて次の［数１１］のように表すことができる。【０１１３】
【数１１】
0005418495.tif 000012
【０１１４】
以上より、隣接セクタ干渉を除外したリソースブロックの受信品質は、以下の［数１２］のように近似的に表すことができる。【０１１５】
【数１２】
0005418495.tif 000013
【０１１６】
続いて、本実施形態の動作について図面を参照して詳細に説明する。移動局１３の動作は、隣接セクタ干渉を除外した受信品質情報の報告が不要となるほかは、上記した第１の実施形態と同様であるので、以下、基地局２３の動作を説明する。【０１１７】
図１２は、基地局２３におけるリソース割当動作及びＭＣＳ決定動作の流れを表したフローチャートである。図１２を参照すると、まず、リソース割当部２０２が、第１の実施の形態と同様にリソースブロックの割り当てを行い（ステップＳ２３１）、隣接セクタとリソース割当情報の交換を行った後（ステップＳ２３２）、隣接セクタ干渉を除外した受信品質を求める（ステップＳ２３３）。【０１１８】
以上のように本実施形態では、移動局１３から報告されるリソースブロックの受信品質と、実際のデータ受信時のリソースブロックの受信品質に差が生じるような場合でも、基地局２３において、データを受信するときの品質に合わせたＭＣＳの選択が可能になる。特に、本実施形態では、移動局において第２の受信手段を省略することができるというメリットがある。【０１１９】
［第４の実施形態］
続いて、本発明の第４の実施形態について図面を参照して詳細に説明する。図１３は、本発明の第４の実施形態の無線通信システムの構成を示したブロック図である。【０１２０】
本実施形態と第１の実施形態との相違点は、上記第３の実施形態と同様に、移動局１３側に第２の受信品質測定部を不要とし、基地局２４側に受信品質推定部２３５を備えた点である。【０１２１】
本発明の第４の実施形態の移動局１３は、制御部１０１と、受信品質測定部１０２と、ハンドオーバ判定用受信品質測定部１２４とを含んで構成される。【０１２２】
また、本発明の第４の実施形態における基地局２４は、制御部２０１と、リソース割当部２２２と、ＭＣＳ判定部２２３と、割当情報管理部２１４と、受信品質推定部２３５とを含んで構成され、移動局１３が報告する受信品質情報、ハンドオーバ判定用受信品質情報及び基地局セル内の全セクタにおけるリソースブロックの割当情報から、リソースブロックの割当てと、ＭＣＳの決定を行なう。【０１２３】
制御部２０１及び割当情報管理部２１４は、上記した第１の実施形態で説明済みである。リソース割当部２２２及びＭＣＳ判定部２２３は、上記した第２の実施形態で説明済みである。受信品質推定部２３５は、上記した第３の実施形態で説明済みである。【０１２４】
続いて、本実施形態の動作について図面を参照して詳細に説明する。移動局１３の動作は、隣接セクタ干渉を除外した受信品質情報の報告が不要となるほかは、上記した第１の実施形態と同様であるので、以下、基地局２４の動作を説明する。【０１２５】
図１４は、基地局２４におけるリソース割当動作及びＭＣＳ決定動作の流れを表したフローチャートである。図１４を参照すると、まず、基地局２４は、移動局１３の位置を判定する（ステップＳ２４１）。【０１２６】
次に、基地局２４は、上記第３の実施形態で説明したように、受信品質推定部２３５にて、隣接セクタ干渉を除外した受信品質を計算する（ステップＳ２４２）。【０１２７】
次に、基地局２４は、自局の全セクタ一括で割り当てを行う（ステップＳ２４３）。ここで、上記ステップＳ２４１の移動局１３の位置を判定する動作と、上記ステップＳ２４３の全セクタ一括で割り当てを行う動作は、第２の実施形態における基地局２２の動作Ｓ２２１〜Ｓ２２４と同一である。なお、第２の実施形態においては、リソース割当部２２２は、隣接セクタ干渉を取り除いた受信品質情報を移動局１２より得ていたが、本実施形態においては、受信品質推定部２３５において計算して得ている。【０１２８】
以上の動作のあと、ＭＣＳ判定部２２３は、リソース割当部２２２よりリソース割当情報を受けてＭＣＳ番号を出力する。ＭＣＳ判定部２２３における動作は第２の実施形態におけるＭＣＳ判定部２２３の動作と同一なため、説明は省略する。【０１２９】
以上、本実施形態では、セクタの境界付近にいるユーザへのサービス品質の安定と、移動局の構成の簡略化という上記第２、第３の実施形態と同等の効果を得ることができる。【０１３０】
［第５の実施形態］
続いて、本発明の第５の実施形態について図面を参照して詳細に説明する。図１５は、本発明の第５の実施形態の無線通信システムの構成を示したブロック図である。図１５に示すように本発明の第５の実施形態の移動局１４は、制御部１０１と、受信品質測定部１０２と、隣接領域受信品質測定部１４５とを含んで構成される。上記した第１の実施形態との相違点は、移動局が隣接セクタ干渉を除外したリソースブロックの受信品質に代えて、隣接セクタのリソースブロックの受信品質を基地局へ報告し、基地局側で隣接セクタ干渉を除外した受信品質を計算する点である。【０１３１】
隣接領域受信品質測定部１４５は、隣接セクタのリソースブロックの受信品質を測定する手段である。【０１３２】
基地局２５は、基地局動作部２０１と、リソース割当部２０２と、MCS判定部２１３と、割当情報管理部２１４と、受信品質計算部２５６とを含んで構成される。【０１３３】
上記移動局１４の動作は、隣接セクタ干渉を除外したリソースブロックの受信品質（第２の受信品質）に代えて、隣接セクタのリソースブロックの受信品質を送信するほかは、第１の実施形態の移動局の動作と同一であるため説明は省略する。【０１３４】
また、基地局２５の動作も、隣接セクタ干渉を除外したリソースブロックの受信品質（第２の受信品質）に代えて、受信品質計算部２５６が、ＭＣＳ判定部２１３に隣接セクタ干渉を除外したリソースブロックの受信品質（第２の受信品質）を入力するほかは、第１の実施形態の基地局の動作と同一であるため説明は省略する。【０１３５】
以下、受信品質計算部２５６における隣接セクタ干渉を除外した受信品質の導出手順を説明する。【０１３６】
上記第１の実施形態で移動局１１が求めた隣接セクタ干渉を除外した受信品質について要素毎に細かく分離すると、リソースブロック毎の受信品質と隣接セクタのリソースブロック毎の受信品質に分けることができる（下記［数１３］参照）。ここで隣接セクタのリソースブロック毎の受信品質は、下記［数１３］により求められる。【０１３７】
【数１３】
0005418495.tif 000014
【０１３８】
リソースブロック毎の受信品質ＳＩＮＲＲＢ（Ｂ０，Ｆｎ）は、冒頭に述べた［数１］により求めることができる。第５の実施形態における隣接領域受信品質測定部１４５は、隣接セクタのリソースブロック毎の受信品質ＳＩＮＲＲＢ（Ｂ１，Ｆｎ）を測定する。【０１３９】
基地局２５の受信品質計算部２５６は、移動局が報告するリソースブロック毎の受信品質ＳＩＮＲＲＢ（Ｂ０，Ｆｎ）と隣接セクタからのリソースブロックの受信品質ＳＩＮＲＲＢ（Ｂ１，Ｆｎ）を用いて、次式［数１４］により、隣接セクタ干渉を除外した受信品質を求める。【０１４０】
【数１４】
0005418495.tif 000015
【０１４１】
以上、本実施形態の構成によっても、上記した第１の実施形態と同等の効果を得ることができる。【０１４２】
［第６の実施形態］
続いて、本発明の第６の実施形態について図面を参照して詳細に説明する。図１６は、本発明の第６の実施形態の無線通信システムの構成を示したブロック図である。図１６に示すように本発明の第６の実施形態の移動局１５は、制御部１０１と、受信品質測定部１０２と、受信電力測定部１５６とを含んで構成される。上記した第１の実施形態との相違点は、移動局が隣接セクタ干渉を除外したリソースブロックの受信品質に代えて、隣接セクタからの受信電力とその他のセルからの受信電力とを基地局へ報告し、基地局側でこれらの用いて隣接セクタ干渉を除外した受信品質を計算する点である。【０１４３】
後記するように、上記隣接セクタからのリソースブロック毎の受信電力とその他のセルからの受信電力と組の代わりに、隣接セクタからの受信電力をその他のセルからの受信電力で割った値を基地局へ報告しても良い。【０１４４】
受信電力測定部１５６は、隣接セクタからのリソースブロック毎の受信電力とその他のセルからの受信電力をそれぞれ測定する手段である。【０１４５】
基地局２５は、基地局動作部２０１と、リソース割当部２０２と、MCS判定部２１３と、割当情報管理部２１４と、受信品質計算部２５６とを含んで構成される。【０１４６】
上記移動局１４の動作は、隣接セクタ干渉を除外したリソースブロックの受信品質（第２の受信品質）に代えて、上記隣接セクタからのリソースブロック毎の受信電力とその他のセルからの受信電力と組を送信するほかは、第１の実施形態の移動局の動作と同一であるため説明は省略する。【０１４７】
また、基地局２５の動作も、隣接セクタ干渉を除外したリソースブロックの受信品質（第２の受信品質）に代えて、受信品質計算部２５６が、ＭＣＳ判定部２１３に隣接セクタ干渉を除外したリソースブロックの受信品質（第２の受信品質）を入力するほかは、第１の実施形態の基地局の動作と同一であるため説明は省略する。【０１４８】
第１の実施形態で移動局が求めた隣接セクタ干渉を除外した受信品質は、移動局が現在通信を行っているセクタからの受信電力と、前記セクタに隣接するセクタからの受信電力と、その他のセルからの総受信電力からなる（［数２］参照）。【０１４９】
ここで基地局は、前記３種類の受信電力のうち現在通信を行っているセクタからの受信電力が移動局より報告されなくても、隣接セクタ干渉を除外した受信品質を求めることが可能である。【０１５０】
以下、上記２つの受信電力から、隣接セクタ干渉を除外した受信品質を求める方法を説明する。【０１５１】
第１の実施形態で移動局が求める隣接セクタ干渉を除外した受信品質は、次式［数１５］のように隣接セクタからの受信電力Ｓ（Ｂ１，Ｆｎ）と、その他のセルからの総受信電力Ｓ（Ｂｍ，Ｆｎ）［但し、ｍ＝２〜Ｍ］と、リソースブロック毎の受信品質ＳＩＮＲＲＢ（Ｂ０，Ｆｎ）に分けることができる。【０１５２】
【数１５】
0005418495.tif 000016
【０１５３】
［数１５］のリソースブロック毎の受信品質ＳＩＮＲＲＢ（Ｂ０，Ｆｎ）は、冒頭に述べた［数１］により移動局１５の受信品質測定部１０２により測定されている。また、隣接セクタからの受信電力Ｓ（Ｂ１，Ｆｎ）と、その他のセルからの総受信電力Ｓ（Ｂｍ，Ｆｎ）［但し、ｍ＝２〜Ｍ］については、リソースブロック毎の受信品質ＳＩＮＲＲＢ（Ｂ０，Ｆｎ）を求める際に導出しているので、これを利用することを考える。【０１５４】
本実施形態においては、移動局１５に、上記［数１５］の隣接セクタからの受信電力と、その他のセルからの総受信電力と、を新たに基地局２５へ報告させることで、基地局２５が隣接セクタ干渉を除外した受信品質を計算できるようにする。【０１５５】
ここで、隣接セクタからの受信電力と、その他のセルからの総受信電力との比は下記［数１６］により求めることができる。【０１５６】
【数１６】
0005418495.tif 000017
【０１５７】
ここで、Ｒ（Ｂｍ，Ｆｎ）は、セクタＢｍのリソースブロックＦｎにおける、隣接セクタからの受信電力をその他のセルからの総受信電力との比を表す。【０１５８】
上式［数１６］で求めた隣接セクタからの受信電力と、その他のセルからの総受信電力との比Ｒ（Ｂｍ，Ｆｎ）を用いれば、隣接セクタ干渉を除外した受信品質は、［数１５］を変形した下記［数１７］により求めることができる。【０１５９】
【数１７】
0005418495.tif 000018
【０１６０】
したがって、基地局２５の受信品質計算部２５６は、移動局から報告された情報を、上記［数１７］に代入して、第１の実施形態で移動局が求めた隣接セクタ干渉を除外した受信品質（第２の受信品質）を求めることができる。【０１６１】
以上、本実施形態の構成によっても、上記した第１の実施形態と同等の効果を得ることができる。【０１６２】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、本発明は、図１７に例示したセル／セクタ構成に限定されず、基地局が隣接する領域のリソースブロックの割当て状況を把握できれば、その他各種のセル構成においても適用することが可能である。【０１６３】
また例えば、上記した各実施形態の説明では、本発明を同一基地局内のセクタ間に適用した例を挙げて説明したが、基地局、基地局制御装置や別途設けた装置等の任意の無線通信ネットワーク上のノードを介して、セル同士が隣接する基地局間でリソースブロックの割当情報や受信品質情報を通知・交換可能とすることで、複数の隣接基地局間で、隣接するセクタ間の干渉を見積もり、適切なＭＣＳを選択させることも可能となる。
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
0005418495.tif 000019
【図２】
0005418495.tif 000020
【図３】
0005418495.tif 000021
【図４】
0005418495.tif 000022
【図５】
0005418495.tif 000023
【図６】
0005418495.tif 000024
【図７】
0005418495.tif 000025
【図８】
0005418495.tif 000026
【図９】
0005418495.tif 000027
【図１０】
0005418495.tif 000028
【図１１】
0005418495.tif 000029
【図１２】
0005418495.tif 000030
【図１３】
0005418495.tif 000031
【図１４】
0005418495.tif 000032
【図１５】
0005418495.tif 000033
【図１６】
0005418495.tif 000034
【図１７】
0005418495.tif 000035
【図１８】
0005418495.tif 000036
【図１９】
0005418495.tif 000037
【図２０】
0005418495.tif 000038